(57)【要約】【課題】ノーネクタイでワイシャツを着用した場合でも、カフス釦のような大げさな装飾をすることなく、これに代わる装飾ができるようにした化粧用の釦で代用できるようにしたワイシャツの袖口係止装置。【解決手段】長袖型ワイシャツの袖口部１に設けられる切り割り部３を介して形成されるカフス部２の上側カフス部４ａと下側カフス部４ｂとを備え、前記上側カフス部４ａの表面に釦５を設け、下面には係止用止め片を設けると共に、前記下側カフス部４ｂの表面及び下面に夫々同一近くに前記係止用止め片と各別に係合離脱できる係止用止め片を設けて成ることを特徴とするワイシャツの袖口係止装置。【選択図】図１
2015086474.tif 000002
【特許請求の範囲】
【請求項１】
長袖型ワイシャツの袖口部に設けられる切り割り部を介して形成されるカフス部の上側カフス部と下側カフス部とを備え、前記上側カフス部の表面に釦を設け、下面には係止用止め片を設けると共に、前記下側カフス部の表面及び下面に夫々同一近くに前記係止用止め片と各別に係合離脱できる係止用止め片を設けて成ることを特徴とするワイシャツの袖口係止装置。
【請求項２】
前記係止用止め片は、互いに係合離脱できる雌型スナップ釦、雄型スナップ釦であることを特徴とする請求項１記載のワイシャツの袖口係止装置。
【発明の詳細な説明】
【技術分野】
【０００１】
本発明は、長袖型ワイシャツの袖口を二通りに係止するワイシャツの袖口係止装置に関する。
【背景技術】
【０００２】
一般に知られるワイシャツは長袖型であり、袖口には釦とこの釦を掛止できる釦孔が設けられており、釦と釦孔との係合離脱によって、ワイシャツの袖口を腕に確実に保持させることができるようになっている。
【０００３】
そして、この釦に代えて、化粧用にはカフス釦（カフリング）を用い、洒落た上衣と調和させたり、各種礼儀用に用いている。
【０００４】
しかし乍ら、通常の釦による釦孔係止着用と、カフス釦着用とは、ワイシャツの袖口のカフス部分の留め方は相違している。
【０００５】
すなわち、釦孔係止着用の場合は、カフス部分の割れ目を表裏重ねて釦を釦孔に係入させており、カフス釦着用の場合は、カフス部分の割れ目を相対向させて、相対向させた箇所の釦孔を一致させて、カフス釦の止具部分を挿通させてカフス釦の止め片で係止させる構造となっている。
【０００６】
ところで、カフス釦を省略してカフス部分に刺繍、プリント、或はアップリケなどの装飾を施し、カフス部分の相対向箇所に一対の面ファスナを設けて、カフス機能を持たせたものは知られている（例えば、特許文献１参照）。
【０００７】
さらに、カフス部分に釦と釦孔を設け、さらに一対の面ファスナを設けたものも知られている（例えば、特許文献２参照）。
【先行技術文献】
【特許文献】
【０００８】
【特許文献１】登録実用新案第３１３３８４４号公報
【特許文献２】実開昭６２−７０１０２号公報
【発明の概要】
【発明が解決しようとする課題】
【０００９】
上記、先行技術文献の特許文献１及び２は、いずれも従来のカフス釦の使用を省き、化粧釦や刺繍、プリント或はアップリケを装飾とした技術内容は認められるが、通常の釦での一般使用については全く考慮されていないという問題がある。
【００１０】
そして、更にネクタイの着用を省略して上下服のみで通勤する簡易な服装が流行する傾向が高まり、専ら、ノーネクタイのワイシャツ着用のみの上下服が一般的になりつつある状況下にあるので、ワイシャツの袖元をカフス釦着用に代用したいと意図する若者も増えてきたという問題もある。
【００１１】
本発明は、叙上の点に着目して成されたもので、飾り釦としての使用を前提とするカフス釦の使用省略のみならず、通常の釦での使用を可能としたことを特徴とすると共に、さらに、釦に対応する留め掛け用の釦孔を省略できるようにした全く新しい独創的なワイシャツの袖口係止装置を提供することを目的とする。
【課題を解決するための手段】
【００１２】
この発明は下記の構成を備えることにより上記課題を解決できるものである。
【００１３】
（１）長袖型ワイシャツの袖口部に設けられる切り割り部を介して形成されるカフス部の上側カフス部と下側カフス部とを備え、前記上側カフス部の表面に釦を設け、下面には係止用止め片を設けると共に、前記下側カフス部の表面及び下面に夫々同一近くに前記係止用止め片と各別に係合離脱できる係止用止め片を設けて成ることを特徴とするワイシャツの袖口係止装置。
【００１４】
（２）前記係止用止め片は、互いに係合離脱できる雌型スナップ釦、雄型スナップ釦であることを特徴とする前記（１）記載のワイシャツの袖口係止装置。
【発明の効果】
【００１５】
本発明によれば、カフス釦（カフリング）が無くても、釦一個でカフス部を装飾できると共に、特に最近流行りのノーネクタイでワイシャツを利用する場合にはカフス部の捕捉がスナップ釦のような一対の係止用止め片によって簡単に形成でき、しかも、釦を係止するための掛け孔を設ける必要がないので、全体を安価に提供できる。
【図面の簡単な説明】
【００１６】
【図１】本発明に係るワイシャツの左腕用の先端に設けられるカフス部分の使用過程を示す部分斜視図
【図２】同上図１のカフス部分を拡開して示す斜視図
【図３】（ａ），（ｂ）  カフス部分を二通りに使用する場合の使用状態の断面図
【図４】（ａ），（ｂ）  同上図３（ａ），（ｂ）の斜視図
【発明を実施するための形態】
【００１７】
以下本発明を実施するための最良の形態を、実施例により詳しく説明する。
【実施例】
【００１８】
各図において、１は長袖型ワイシャツの左腕用の袖口部、２はこの袖口部１の先端に縫合させたカフス部で、切り離した切り割り部３を設けてある。そして、カフス部２は、全体として長方形に形成され、両端部４，４の一方が上側カフス部４ａ、他方が下側カフス部４ｂを形成している。
【００１９】
５は、前記上側カフス部４ａに縫合させた釦で、専ら化粧用として形成する。６，７は、下部カフス部４ｂの表側と裏側の略同一箇所に縫合した係止用止め片の雌型スナップ釦である。８は、上記雌型スナップ釦６，７と係合離脱できる係止用止め片の雄型スナップ釦であって、前記上側カフス部４ａの反対面に相対向して縫合固定させてある。
【００２０】
したがって、通常の場合はワイシャツ着用時、カフス部２の釦５を外側に保って、上側カフス部４ａの裏面に設けた雄型スナップ釦８を下側カフス部４ｂの表部に設けた雌型スナップ釦６と係合させて、図３（ａ）の状態とし、図４（ａ）の形状として使用できる。
【００２１】
また、カフス釦の使用状態に似た状態にしたい場合は、図３（ｂ）のようにカフス部２の上側カフス部４ａの裏側の雄型スナップ釦８を、下側カフス部４ｂの雌型スナップ釦７と係合させることにより、図４（ｂ）の状態として体裁よく袖元を飾ることができる。
【００２２】
以上のように、単一の釦５のみを用いて、ワイシャツのカフス部２を図３（ａ）及び図４（ａ）のように、通常の釦掛けとして使用したり、さらに、カフス釦のように釦５をカフス部２で図３（ｂ）及び図４（ｂ）のように体裁よく使い分けて、ノーネクタイでも体裁良くワイシャツを着用できる。
【００２３】
また、釦５は専ら化粧用としてのみ機能しており、この釦５を掛け止めする釦孔を設ける必要がないので、カフス部２をスッキリと体裁よく形成でき、安価に製作できるという利点もある。
【００２４】
なお、この実施例では、カフス部２の端部を係止するには、雌雄のスナップ釦を用いているが、このスナップ釦の係止用止め片は、面ファスナなど他の好みの部品を用いても良い。
【符号の説明】
【００２５】
１      袖口部
２      カフス部
３      切り割り部
４，４  両端部
４ａ    上側カフス部
４ｂ    下側カフス部
５      釦
６，７  雌型スナップ釦
８      雄型スナップ釦
【図１】
2015086474.tif 000003
【図２】
2015086474.tif 000004
【図３】
2015086474.tif 000005
【図４】
2015086474.tif 000006